(57)【要約】      （修正有）【課題】積み重ねが容易で、遊技媒体がこぼれ出るのを完全に防止でき、盗難防止機能も果たし得る遊技媒体収容容器を提供する。【解決手段】遊技媒体収容容器１０Ａは、上方に開口する有底の容器であって、周縁に鍔部１２を有する矩形の開口部１１と矩形の底面１４とを有し、該容器の開口部周縁の鍔部上面上において、仮想矩形Ｓ１の各隅角部ｇ１、ｇ２、ｇ３、ｇ４に、一方の対角にある各隅角部ｇ１、ｇ２に相当する位置には同一の上面嵌合部１６ａ、１７ａを形成し、他方の対角にある各隅角部ｇ３、ｇ４の位置には上面被嵌合部１６ｂ、１７ｂを形成し、該容器の底面上において、仮想矩形Ｓ２の各隅角部ｇ５、ｇ６、ｇ７、ｇ８に、一方の対角にある各隅角部ｇ５、ｇ６に相当する位置には同一の底面嵌合部１８ａ、１９ａを形成し、他方の対角にある各隅角部ｇ７、ｇ８の位置には底面被嵌合部１８ｂ、１９ｂを形成したものである。【選択図】図１
2007054137.tif 000002
【特許請求の範囲】
【請求項１】
上方に開口する有底の容器であって、周縁に鍔部を有する矩形の開口部と矩形の底面とを有し、
該容器の開口部周縁の鍔部上面上において、前記矩形開口部の中心位置で交差し、かつ、矩形開口部の縦又は横の中心線にて線対称の２本１組の直線が対角線をなす仮想矩形の各隅角部において、一方の対角にある各隅角部に相当する鍔部上面上の位置には同一の上面嵌合部を形成し、他方の対角にある各隅角部に相当する鍔部上面上の位置には前記上面嵌合部に嵌合する上面被嵌合部を形成し、
該容器の底面上において、前記矩形底面の中心位置で交差し、かつ、矩形底面の縦又は横の中心線にて線対称の２本１組の直線が対角線をなす仮想矩形の各隅角部において、一方の対角にある各隅角部に相当する底面上の位置には同一の底面嵌合部を形成し、他方の対角にある各隅角部に相当する底面上の位置には前記底面嵌合部に嵌合する底面被嵌合部を形成し、
たことを特徴とする遊技媒体収容容器。
【請求項２】
上面嵌合部及び上面被嵌合部を矩形開口部周縁鍔部の隅角部に形成したことを特徴とする請求項１に記載の遊技媒体収容容器。
【請求項３】
底面嵌合部及び底面被嵌合部を矩形底面の隅角部に形成したことを特徴とする請求項１又は２に記載の遊技媒体収容容器。
【請求項４】
開口部周縁の鍔部上面上に形成した上面嵌合部及び上面被嵌合部の突出高さが同一であることを特徴とする請求項１〜３のいずれか１項に記載の遊技媒体収容容器。
【請求項５】
底面上に形成した底面嵌合部及び底面被嵌合部の突出高さが同一であることを特徴とする請求項１〜４のいずれか１項に記載の遊技媒体収容容器。
【発明の詳細な説明】
【技術分野】
【０００１】
本発明は、遊技者が獲得した遊技球や遊技メダル等の遊技媒体を収容するための遊技媒体収容容器に関する。
【背景技術】
【０００２】
パチンコなどの遊技機を備えた遊技場においては、遊技中に遊技球が多く払い出されて遊技機備え付けの受け皿が満杯になると受け皿の遊技球を受け皿の下に配置されている容器に移し替え、その容器が遊技球で満杯になると足元の床上に移動して別の空の容器を受け皿の下に配置し、その容器が満杯になると先に足元の床上に移動した満杯の容器の上に積み重ね、別の空の容器を受け皿の下に配置し、この作業を繰り返しながら遊技が行なわれている。
【０００３】
ところで満杯になった容器の上に満杯になった別の容器を積み重ねる際に下段の容器に収容されている遊技球がこぼれ出ることがあり、また、容器を何段にも積み重ねると不安定になるため積み重ねた容器が崩れる不安感が伴っていた。さらに足元に置いた満杯の容器から遊技球が盗み取られてしまうといった危険性もあった。
【０００４】
そこで、遊技球がこぼれ出るのを防止し、容器を積み重ねやすくするための種々の工夫がなされている。
【０００５】
特許文献１には、下段に位置する容器の開口縁部に凹溝を設け、上段の容器の底面に凹溝を設けて、これらの凹溝同士を嵌合させて縦横互い違いに容器を積み重ねることができる遊技球収容容器が示されている。
【０００６】
また、特許文献２には、容器の底部にスライド可能な継ぎ手板を設け、この継ぎ手板には、これを広げたときに下段の容器の開口縁部に嵌合する凹溝が設けられており、容器を積み重ねる際に、上段の容器の継ぎ手板を広げて、その凹溝を下段の容器の開口縁部に嵌合させて容器を積み重ねることができる遊技球収容容器が示されている。
【特許文献１】特開平９−２４８３８０
【特許文献２】特開２００２−３５５４３８
【発明の開示】
【発明が解決しようとする課題】
【０００７】
しかしながら、特許文献１に示す遊技球収容容器では、容器を互い違いに積み重ねなければならないために余分なスペースが必要となり、小スペースでできるだけ多くの遊技者を収容しようと努力している遊技場の現状に合わない欠点がある。また、盗難防止についての対策は何ら講じられていない。
【０００８】
また、特許文献２に示される遊技球収容容器は、構造が複雑で製造コストが高くつき、また、取り扱いにくく、しかも破損するおそれがあるため、採用しがたいものである。また、盗難防止についての対策は何ら講じられていない。
【０００９】
そこで本発明者は、鋭意研究を重ねた結果、積み重ねが容易で、かつ、遊技媒体がこぼれ出るのを完全に防止でき、しかも盗難防止機能も果たし得て、遊技者にとって快適に遊技が行える遊技媒体収容容器を開発した。
【課題を解決するための手段】
【００１０】
本発明に係る遊技媒体収容容器は、上方に開口する有底の容器であって、周縁に鍔部を有する矩形の開口部と矩形の底面とを有し、該容器の開口部周縁の鍔部上面上において、前記矩形開口部の中心位置で交差し、かつ、矩形開口部の縦又は横の中心線にて線対称の２本１組の直線が対角線をなす仮想矩形の各隅角部において、一方の対角にある各隅角部に相当する鍔部上面上の位置には同一の上面嵌合部を形成し、他方の対角にある各隅角部に相当する鍔部上面上の位置には前記上面嵌合部に嵌合する上面被嵌合部を形成し、該容器の底面上において、前記矩形底面の中心位置で交差し、かつ、矩形底面の縦又は横の中心線にて線対称の２本１組の直線が対角線をなす仮想矩形の各隅角部において、一方の対角にある各隅角部に相当する底面上の位置には同一の底面嵌合部を形成し、他方の対角にある各隅角部に相当する底面上の位置には前記底面嵌合部に嵌合する底面被嵌合部を形成したことを特徴とするものである。
【００１１】
上記のように構成したことにより、上記構成の容器を２個用意し、それら容器の上面同士を開口部の矩形が合致するように揃えて対面させたときに各容器に形成した上面嵌合部と上面被嵌合部とが嵌合する。したがって、遊技媒体が満杯になった容器を下にし、その上に空の容器を逆さにして開口部の矩形が合致するように積み重ねると、下段の容器の上面嵌合部と上段の容器の上面被嵌合部とが嵌合すると共に、下段の容器の上面被嵌合部と上段の容器の上面嵌合部とが嵌合するので、積み重ね状態が強固に維持されることになる。その際、遊技媒体が満杯になった容器は、逆さまにした上段の容器であたかも蓋されたような状態となるので、遊技媒体がこぼれ出ることがないばかりでなく、遊技媒体の盗難防止の効果が果たされる。
【００１２】
また、それら容器の底面同士を底面の矩形が合致するように揃えて対面させたときに各容器に形成した底面嵌合部と底面被嵌合部とが嵌合する。したがって、逆さまにして底面側を上にした容器の上に、遊技媒体が満杯になった容器を底面の矩形が合致するように積み重ねると、逆さまになっている下段の容器の底面嵌合部と上段の容器の底面被嵌合部とが嵌合すると共に、下段の容器の底面被嵌合部と上段の容器の底面嵌合部とが嵌合するので、積み重ね状態が強固に維持されることになる。
【００１３】
しかも、本発明に係る遊技媒体収容容器を使用すると、満杯の容器だけを積み重ねた場合より２倍の積み重ね量となる。ちなみに遊技者は、遊技の勝敗状況がたとえ劣勢にあっても、その事態を他の遊技者に知られたくない心境にあるのが普通であり、勝敗状況があたかも優勢であるかのごとくに見せ掛けたいのが常である。そして、優勢にあるか否かは容器の積み重ね量で判断されるのが一般的であるため、本発明の容器を使用すれば、現実の出玉獲得状況よりも、はるかに優勢であるように見せ掛けることができるので、他の遊技者から受けるプレッシャーから解放されて、快適に遊技を行うことができる効果がある。
【００１４】
なお、上記の構成に加えて、上面嵌合部及び上面被嵌合部を矩形開口部周縁鍔部の隅角部に形成したり、底面嵌合部及び底面被嵌合部を矩形底面の隅角部に形成した場合には、安定性に優れるので好ましい。
【００１５】
また、上記の構成に加えて、開口部周縁の鍔部上面上に形成した上面嵌合部及び上面被嵌合部の突出高さを同一にしたり、底面上に形成した底面嵌合部及び底面被嵌合部の突出高さを同一にした場合には、平坦なところに該容器を上向けあるいは下向けに置いた場合に、ガタツキが生じず安定的である。
【発明の効果】
【００１６】
上記した本発明に係る遊技媒体収容容器は、上記のような構成をなすものであるため、積み重ねが容易で、かつ、遊技媒体がこぼれ出るのを完全に防止でき、しかも盗難防止機能も果たし得るものであって、従来の欠点を解消し、従来にない快適な遊技が楽しめる画期的な発想に基づく遊技媒体収容容器である。
【発明を実施するための最良の形態】
【００１７】
以下に、添付の図面に基づき、本発明に係る遊技媒体収容容器（以下、単に「容器」という。）の好適な実施例について詳述する。
【実施例１】
【００１８】
図１は実施例１の容器であって、図中（ａ）は該容器の平面図、（ｂ）は該容器の正面図（正背は同一に表れる）、（ｃ）は該容器の左側面図（右側面図は、左側面図と上下及び左右対称に表れる）、（ｄ）は該容器の底面図であり、図２は該容器を、その開口部側を対向させて積み重ねようとする状態を示す斜視図であり、図３は該容器を、その開口部側を対向させて積み重ねた状態を示す斜視図であり、図４は開口部側同士を積み重ねた状態における嵌合構造を示す平面図であり、図５は該容器を、その底面側を対向させて積み重ねようとする状態を示す斜視図であり、図６は底面同士を積み重ねた状態における嵌合構造を示す底面図であり、図７は該容器を、１段目及び２段目は開口部側同士を対向させ、２段目及び３段目は底面同士を対向させて３段に積み重ねた状態を示す正面図である。
【００１９】
図１において１０Ａは容器を示す。なお、一つの図に２個以上の容器が表れる場合は、便宜上１０Ａ１、１０Ａ２、１０Ａ３のように枝番号を付すが、全て同一構成の容器である。
【００２０】
本実施例に係る容器１０Ａは、上方に開口する有底の容器であり、開口部１１は矩形であって、その周縁には鍔部１２が形成されている。そして、鍔部１２の左右側部には容器を把持するための長穴１３が形成されている。また、底面１４は、開口部１１の矩形よりやや小さい相似形の矩形であり、容器の周壁１５は上方に向かうにしたがって徐々に広がる傾斜壁にて構成されており、容器が空の場合には、一つの容器の開口部に対して他の容器の底面側をあてがうことにより段積みすることが可能になっている。
【００２１】
該容器１０Ａの開口部１１周縁の鍔部１２の上面上には、上面嵌合部１６ａ、１７ａ及び上面被嵌合部１６ｂ、１７ｂが形成されている。これら上面嵌合部１６ａ、１７ａ及び上面被嵌合部１６ｂ、１７ｂはいずれも湾曲した同一高さの凸条にて形成されており、上面被嵌合部１６ｂ、１７ｂは上面嵌合部１６ａ、１７ａより僅かに内方に形成することにより、上面嵌合部１６ａ、１７ａ及び上面被嵌合部１６ｂ、１７ｂが互いに嵌合する形状をなしている。
【００２２】
上面嵌合部１６ａ、１７ａ及び上面被嵌合部１６ｂ、１７ｂの配置は、次の要領で該容器１０Ａの開口部１１周縁の鍔部１２の上面上に決定される。すなわち、前記矩形開口部１１の中心位置Ｐ１で交差し、かつ、矩形開口部１１の横の中心線Ｃ１にて線対称の２本１組の直線Ｌ１、Ｌ２を描く。なお、矩形開口部１１の縦の中心線にて線対称の２本１組の直線を描いても前記直線Ｌ１、Ｌ２と同一の直線となる。そして、該直線Ｌ１、Ｌ２が対角線をなす仮想矩形Ｓ１を描いて、その各隅角部ｇ１、ｇ２、ｇ３、ｇ４の位置において、一方の対角にある各隅角部ｇ１、ｇ２の位置に同一形状の上面嵌合部１６ａ、１７ａを形成し、他方の対角にある各隅角部ｇ３、ｇ４の位置に前記上面嵌合部１６ａ、１７ａに嵌合する上面被嵌合部１６ｂ、１７ｂを形成する。このように配置すると、下方に位置する容器１０Ａの開口部１１と上方に位置する容器１０Ａの開口部１１とを各開口部１１の矩形が一致するように対向させたときに、上面嵌合部１６ａ、１７ａと上面被嵌合部１６ｂ、１７ｂとの形成位置が必ず合致することになる。また、容器１０Ａを水平方向に回転させて容器１０Ａの左右をいれかえても、上面嵌合部１６ａ、１７ａ及び上面被嵌合部１６ｂ、１７ｂはそれぞれ１８０°回転するだけでその位置自体は変化しない。
【００２３】
そして、２個の容器１０Ａ１、１０Ａ２を用意し、図２〜図４に示すように、各容器１０Ａ１、１０Ａ２の開口部側を開口部１１の矩形が合致するように対向させて積み重ねると、下段容器１０Ａ１の上面嵌合部１６ａ、１７ａと上段容器１０Ａ２の上面被嵌合部１６ｂ、１７ｂとが具合よく嵌合し、下段容器１０Ａ１の上面被嵌合部１６ｂ、１７ｂと上段容器１０Ａ２の上面嵌合部１６ａ、１７ａとが具合よく嵌合することになる。したがって、容器１０Ａ１、１０Ａ２の開口部側を対向させて積み重ねると、上面嵌合部１６ａ、１７ａ及び上面被嵌合部１６ｂ、１７ｂがそれぞれ嵌合するため、容器１０Ａ１、１０Ａ２が互いに水平方向へずれることが防止できるので、積み重ね状態が安定して維持できる。
【００２４】
なお、上面嵌合部１６ａ、１７ａと上面被嵌合部１６ｂ、１７ｂとを突出高さが同一の凸条にて形成しているので、容器１０Ａの開口部側を下にして平坦なところに置いた場合にガタツキが生じない。
【００２５】
以上のように容器１０Ａの開口部側周縁の上面部を構成したことによって、遊技媒体が満杯になった容器１０Ａを下にし、その上に空の容器１０Ａを逆さにして積み重ねると、前述したように上下の各容器１０Ａの積み重ね状態が強固に維持されると共に、遊技媒体が満杯になった容器１０Ａは、逆さまにした上段の容器１０Ａであたかも蓋されたような状態となるので、遊技媒体がこぼれ出ることがなく、遊技媒体の盗難防止の効果が果たされる。
【００２６】
また、該容器１０Ａの底面１４上には、底面嵌合部１８ａ、１９ａ及び底面被嵌合部１８ｂ、１９ｂが形成されている。これら底面嵌合部１８ａ、１９ａ及び底面被嵌合部１８ｂ、１９ｂはいずれも湾曲した同一高さの凸条にて形成されており、底面嵌合部１８ａ、１９ａは底面被嵌合部１８ｂ、１９ｂより僅かに内方に形成することにより、底面嵌合部１８ａ、１９ａ及び底面被嵌合部１８ｂ、１９ｂが互いに嵌合する形状をなしている。
【００２７】
底面嵌合部１８ａ、１９ａ及び底面被嵌合部１８ｂ、１９ｂの配置は、次の要領で該容器１０Ａの底面１４上に決定される。すなわち、前記矩形底面１４の中心位置Ｐ２で交差し、かつ、矩形底面１４の横の中心線Ｃ２にて線対称の２本１組の直線Ｌ３、Ｌ４を描く。なお、矩形底面１４の縦の中心線にて線対称の２本１組の直線を描いても前記直線Ｌ３、Ｌ４と同一の直線となる。そして、該直線Ｌ３、Ｌ４が対角線をなす仮想矩形Ｓ２を描いて、その各隅角部ｇ５、ｇ６、ｇ７、ｇ８の位置において、一方の対角にある各隅角部ｇ５、ｇ６の位置に同一形状の底面嵌合部１８ａ、１９ａを形成し、他方の対角にある各隅角部ｇ７、ｇ８の位置に前記底面嵌合部１８ａ、１９ａに嵌合する底面被嵌合部１８ｂ、１９ｂを形成する。このように配置すると、下方に位置する容器１０Ａの底面１４と上方に位置する容器１０Ａの底面１４とを各底面１４の矩形が一致するように対向させたときに、底面嵌合部１８ａ、１９ａと底面被嵌合部１８ｂ、１９ｂとの形成位置が必ず合致することになる。また、容器１０Ａを水平方向に回転させてその左右をいれかえても、底面嵌合部１８ａ、１９ａ及び底面被嵌合部１８ｂ、１９ｂはそれぞれ１８０°回転するだけでその位置自体は変化しない。
【００２８】
そして、２個の容器１０Ａ１、１０Ａ２を用意し、図５及び図６に示すように、各容器１０Ａ１、１０Ａ２の底面側を底面１４の矩形が合致するように対向させて積み重ねると、下段容器１０Ａ１の底面嵌合部１８ａ、１９ａと上段容器１０Ａ２の底面被嵌合部１８ｂ、１９ｂとが具合よく嵌合し、下段容器１０Ａ１の底面被嵌合部１８ｂ、１９ｂと上段容器１０Ａ２の底面嵌合部１８ａ、１９ａとが具合よく嵌合することになる。したがって、容器１０Ａ１、１０Ａ２の底面側を対向させて積み重ねると、底面嵌合部１８ａ、１９ａ及び底面被嵌合部１８ｂ、１９ｂがそれぞれ嵌合するため、容器１０Ａ１、１０Ａ２が互いに水平方向へずれることが防止できるので、積み重ね状態が安定して維持できる。
【００２９】
なお、底面嵌合部１８ａ、１９ａと底面被嵌合部１８ｂ、１９ｂとを突出高さが同一の凸条にて形成しているので、容器１０Ａの底面側を下にして平坦なところに置いた場合にガタツキが生じない。
【００３０】
以上のように容器１０Ａの開口部側周縁の上面部を構成したことによって、逆さまにした容器１０Ａの上に、遊技媒体が満杯になった容器１０Ａを積み重ねると、逆さまになっている下段の容器１０Ａの底面嵌合部１８ａ、１９ａと上段１０Ａの容器の底面被嵌合部１８ｂ、１９ｂとが嵌合すると共に、下段の容器１０Ａの底面被嵌合部１８ｂ、１９ｂと上段の容器１０Ａの底面嵌合部１８ａ、１９ａとが嵌合するので、積み重ね状態が強固に維持されることになる。
【００３１】
以上詳述した容器１０Ａを、図７に示すように、１段目の容器１０Ａ１の上に２段目の容器１０Ａ２を開口部側同士を対向させて積み重ね、前記２段目の容器１０Ａ２の上に３段目の容器１０Ａ３を積み重ねる。そうすると、上面嵌合部１６ａ、１７ａ及び上面被嵌合部１６ｂ、１７ｂが嵌合することにより、１段目の容器１０Ａ１と２段目の容器１０Ａ２との積み重ね状態が安定して維持でき、底面嵌合部１８ａ、１９ａ及び底面被嵌合部１８ｂ、１９ｂが嵌合することにより、２段目の容器１０Ａ２と３段目の容器１０Ａ３との積み重ね状態が安定して維持できる。したがって、積み重ねた容器１０Ａ全体が安定して積み重ねることができるので、積み重ねた容器１０Ａが崩れるおそれがない。さらに、４段、５段と積み上げていくことが可能である。
【００３２】
その結果、満杯の容器だけを積み重ねた場合より２倍の積み重ね量となるため、現実の出玉獲得状況よりも、はるかに優勢であるように見せ掛けることができるので、他の遊技者から受けるプレッシャーから解放されて、快適に遊技を行うことができる効果がある。
【００３３】
なお、本実施例においては、安定性をより一層向上させるために、上面嵌合部１６ａ、１７ａ及び上面被嵌合部１６ｂ、１７ｂを矩形開口部１１の周縁鍔部１２の隅角部の位置に形成し、底面嵌合部１８ａ、１９ａ及び底面被嵌合部１８ｂ、１９ｂを矩形底面１４の隅角部の位置に形成しているが、それに限られるものではなく、矩形開口部１１の周縁鍔部１２における前記仮想矩形Ｓ１の長辺部あるいは短辺部に相当する鍔部上面上の位置に上面嵌合部及び上面被嵌合部を形成してもよく、また、矩形底面１４における前記仮想矩形Ｓ２の長辺部あるいは短辺部に相当する底面上の位置に底面嵌合部及び底面被嵌合部を形成するようにしてもよい。
【００３４】
さらに、本実施例における上面嵌合部１６ａ、１７ａ及び上面被嵌合部１６ｂ、１７ｂあるいは底面嵌合部１８ａ、１９ａ及び底面被嵌合部１８ｂ、１９ｂは、湾曲した凸条をなすものであるが、これに限られるものではなく、上面嵌合部及び上面被嵌合部同士が嵌合し、また、底面嵌合部及び底面被嵌合部同士が嵌合する形状であれば、どのような形状でも適用できる。以下に述べる実施例２〜４は、上面嵌合部及び上面被嵌合部あるいは底面嵌合部及び底面被嵌合部の変更例である。
【実施例２】
【００３５】
図８は実施例２の容器であって、図中（ａ）は該容器の平面図、（ｂ）は該容器の正面図（正背は同一に表れる）、（ｃ）は該容器の左側面図（右側面図は、左側面図と上下及び左右対称に表れる）、（ｄ）は該容器の底面図であり、図９は該容器を、その開口部側を対向させて積み重ねようとする状態を示す斜視図であり、図１０は開口部側同士を積み重ねた状態における嵌合構造を示す平面図であり、図１１は該容器を、その底面側を対向させて積み重ねようとする状態を示す斜視図であり、図１２は底面同士を積み重ねた状態における嵌合構造を示す底面図であり、図１３は該容器を、１段目及び２段目は開口部側同士を対向させ、２段目及び３段目は底面同士を対向させて３段に積み重ねた状態を示す正面図である。
【００３６】
図８において２０Ａは容器を示す。なお、一つの図に２個以上の容器が表れる場合は、便宜上２０Ａ１、２０Ａ２、２０Ａ３のように枝番号を付すが、全て同一構成の容器である。
【００３７】
本実施例に係る容器２０Ａは、上方に開口する有底の容器であり、開口部２１は矩形であって、その周縁には鍔部２２が形成されている。そして、鍔部２２の左右側部には容器を把持するための長穴２３が形成されている。また、底面２４は、開口部２１の矩形よりやや小さい相似形の矩形であり、容器の周壁２５は上方に向かうにしたがって徐々に広がる傾斜壁にて構成されており、容器が空の場合には、一つの容器の開口部に対して他の容器の底面側をあてがうことにより段積みすることが可能になっている。
【００３８】
該容器２０Ａの開口部２１周縁の鍔部２２の上面上には、上面嵌合部２６ａ、２７ａ及び上面被嵌合部２６ｂ、２７ｂが形成されている。上面嵌合部２６ａ、２７ａは、間隙を有する２本の平行な凸条より形成され、上面被嵌合部２６ｂ、２７ｂは前記の間隙に嵌合する１本の凸条より形成されており、互いに嵌合する形状になっている。なお、これらの凸条は、いずれも同一高さで形成されている。
【００３９】
上面嵌合部２６ａ、２７ａ及び上面被嵌合部２６ｂ、２７ｂの配置は、実施例１で述べたのと同様の要領で決定され、下方に位置する容器２０Ａの開口部２１と上方に位置する容器２０Ａの開口部２１とを各開口部２１の矩形が一致するように対向させたときに、上面嵌合部２６ａ、２７ａと上面被嵌合部２６ｂ、２７ｂとの形成位置が合致し、容器２０Ａを水平方向に回転させて容器２０Ａの左右をいれかえても、上面嵌合部２６ａ、２７ａ及び上面被嵌合部２６ｂ、２７ｂはそれぞれ１８０°回転するだけでその位置自体は変化しない。
【００４０】
そして、２個の容器２０Ａ１、２０Ａ２を用意し、図９及び図１０に示すように、各容器２０Ａ１、２０Ａ２の開口部側を開口部２１の矩形が合致するように対向させて積み重ねると、下段容器２０Ａ１の上面嵌合部２６ａ、２７ａと上段容器２０Ａ２の上面被嵌合部２６ｂ、２７ｂとが具合よく嵌合し、下段容器２０Ａ１の上面被嵌合部２６ｂ、２７ｂと上段容器２０Ａ２の上面嵌合部２６ａ、２７ａとが具合よく嵌合することになる。したがって、容器２０Ａ１、２０Ａ２の開口部側を対向させて積み重ねると、上面嵌合部２６ａ、２７ａ及び上面被嵌合部２６ｂ、２７ｂがそれぞれ嵌合するため、容器２０Ａ１、２０Ａ２が互いに水平方向へずれることが防止できるので、積み重ね状態が安定して維持できる。
【００４１】
なお、上面嵌合部２６ａ、２７ａと上面被嵌合部２６ｂ、２７ｂとを突出高さが同一の凸条にて形成しているので、容器２０Ａの開口部側を下にして平坦なところに置いた場合にガタツキが生じない。
【００４２】
以上のように容器２０Ａの開口部側周縁の上面部を構成したことによって、遊技媒体が満杯になった容器２０Ａを下にし、その上に空の容器２０Ａを逆さにして積み重ねると、前述したように上下の各容器２０Ａの積み重ね状態が強固に維持されると共に、遊技媒体が満杯になった容器２０Ａは、逆さまにした上段の容器２０Ａであたかも蓋されたような状態となるので、遊技媒体がこぼれ出ることがなく、遊技媒体の盗難防止の効果が果たされる。
【００４３】
また、該容器２０Ａの底面２４上には、底面嵌合部２８ａ、２９ａ及び底面被嵌合部２８ｂ、２９ｂが形成されている。底面嵌合部２８ａ、２９ａは、間隙を有するを２本の平行な凸条より形成され、底面被嵌合部２８ｂ、２９ｂは前記の間隙に嵌合する１本の凸条より形成されており、互いに嵌合する形状になっている。なお、これらの凸条は、いずれも同一高さで形成されている。
【００４４】
底面嵌合部２８ａ、２９ａ及び底面被嵌合部２８ｂ、２９ｂの配置は、実施例１で述べた要領で決定され、下方に位置する容器２０Ａの底面２４と上方に位置する容器２０Ａの底面２４とを各底面２４の矩形が一致するように対向させたときに、底面嵌合部２８ａ、２９ａと底面被嵌合部２８ｂ、２９ｂとの形成位置が合致し、容器２０Ａを水平方向に回転させてその左右をいれかえても、底面嵌合部２８ａ、２９ａ及び底面被嵌合部２８ｂ、２９ｂはそれぞれ１８０°回転するだけでその位置自体は変化しない。
【００４５】
そして、２個の容器２０Ａ１、２０Ａ２を用意し、図１１及び図１２に示すように、各容器２０Ａ１、２０Ａ２の底面側を底面２４の矩形が合致するように対向させて積み重ねると、下段容器２０Ａ１の底面嵌合部２８ａ、２９ａと上段容器２０Ａ２の底面被嵌合部２８ｂ、２９ｂとが具合よく嵌合し、下段容器２０Ａ１の底面被嵌合部２８ｂ、２９ｂと上段容器２０Ａ２の底面嵌合部２８ａ、２９ａとが具合よく嵌合することになる。したがって、容器２０Ａ１、２０Ａ２の底面側を対向させて積み重ねると、底面嵌合部２８ａ、２９ａ及び底面被嵌合部２８ｂ、２９ｂがそれぞれ嵌合するため、容器２０Ａ１、２０Ａ２が互いに水平方向へずれることが防止できるので、積み重ね状態が安定して維持できる。
【００４６】
なお、底面嵌合部２８ａ、２９ａと底面被嵌合部２８ｂ、２９ｂとを突出高さが同一の凸条にて形成しているので、容器２０Ａの底面側を下にして平坦なところに置いた場合にガタツキが生じない。
【００４７】
以上のように容器２０Ａの開口部側周縁の上面部を構成したことによって、逆さまにした容器２０Ａの上に、遊技媒体が満杯になった容器２０Ａを積み重ねると、逆さまになっている下段の容器２０Ａの底面嵌合部２８ａ、２９ａと上段２０Ａの容器の底面被嵌合部２８ｂ、２９ｂとが嵌合すると共に、下段の容器２０Ａの底面被嵌合部２８ｂ、２９ｂと上段の容器２０Ａの底面嵌合部２８ａ、２９ａとが嵌合するので、積み重ね状態が強固に維持されることになる。
【００４８】
以上詳述した容器２０Ａを、図１３に示すように、１段目の容器２０Ａ１の上に２段目の容器２０Ａ２を開口部側同士を対向させて積み重ね、前記２段目の容器２０Ａ２の上に３段目の容器２０Ａ３を積み重ねる。そうすると、上面嵌合部２６ａ、２７ａ及び上面被嵌合部２６ｂ、２７ｂが嵌合することにより、１段目の容器２０Ａ１と２段目の容器２０Ａ２との積み重ね状態が安定して維持でき、底面嵌合部２８ａ、２９ａ及び底面被嵌合部２８ｂ、２９ｂが嵌合することにより、２段目の容器２０Ａ２と３段目の容器２０Ａ３との積み重ね状態が安定して維持できる。したがって、積み重ねた容器２０Ａ全体が安定して積み重ねることができるので、積み重ねた容器２０Ａが崩れるおそれがない。さらに、４段、５段と積み上げていくことが可能である。
【００４９】
その結果、満杯の容器だけを積み重ねた場合より２倍の積み重ね量となるため、現実の出玉獲得状況よりも、はるかに優勢であるように見せ掛けることができるので、他の遊技者から受けるプレッシャーが解放されて、快適に遊技を行うことができる効果がある。
【００５０】
なお、本実施例においては、安定性をより一層向上させるために、上面嵌合部２６ａ、２７ａ及び上面被嵌合部２６ｂ、２７ｂを矩形開口部２１の周縁鍔部２２の隅角部の位置に形成し、底面嵌合部２８ａ、２９ａ及び底面被嵌合部２８ｂ、２９ｂを矩形底面２４の隅角部の位置に形成しているが、これに限られるものではないことは実施例１で述べたとおりである。
【実施例３】
【００５１】
図１４は実施例３の容器であって、図中（ａ）は平面図、（ｂ）は該容器の正面図（正背は同一に表れる）、（ｃ）は該容器の左側面図（右側面図は、左側面図と上下及び左右対称に表れる）、（ｄ）は該容器の底面図であり、図１５は該容器を、その開口部側を対向させて積み重ねようとする状態を示す斜視図であり、図１６は開口部側同士を積み重ねた状態における嵌合構造を示す平面図であり、図１７は該容器を、その底面側を対向させて積み重ねようとする状態を示す斜視図であり、図１８は底面同士を積み重ねた状態における嵌合構造を示す底面図であり、図１９は該容器を、１段目及び２段目は開口部側同士を対向させ、２段目及び３段目は底面同士を対向させて３段に積み重ねた状態を示す正面図である。
【００５２】
図１４において３０Ａは容器を示す。なお、一つの図に２個以上の容器が表れる場合は、便宜上３０Ａ１、３０Ａ２、３０Ａ３のように枝番号を付すが、全て同一構成の容器である。
【００５３】
本実施例に係る容器３０Ａは、上方に開口する有底の容器であり、開口部３１は矩形であって、その周縁には鍔部３２が形成されている。そして、鍔部３２の左右側部には容器を把持するための長穴３３が形成されている。また、底面３４は、開口部３１の矩形よりやや小さい相似形の矩形であり、容器の周壁３５は上方に向かうにしたがって徐々に広がる傾斜壁にて構成されており、容器が空の場合には、一つの容器の開口部に対して他の容器の底面側をあてがうことにより段積みすることが可能になっている。
【００５４】
該容器３０Ａの開口部３１周縁の鍔部３２の上面上には、上面嵌合部３６ａ、３７ａ及び上面被嵌合部３６ｂ、３７ｂが形成されている。上面嵌合部３６ａ、３７ａは、間隙を有する２個の突起より形成され、上面被嵌合部３６ｂ、３７ｂは前記の間隙に嵌合する１本の凸条より形成されており、互いに嵌合する形状になっている。なお、これらの突起及び凸条は、いずれも同一高さで形成されている。
【００５５】
上面嵌合部３６ａ、３７ａ及び上面被嵌合部３６ｂ、３７ｂの配置は、実施例１で述べたのと同様の要領で決定され、下方に位置する容器３０Ａの開口部３１と上方に位置する容器３０Ａの開口部３１とを各開口部３１の矩形が一致するように対向させたときに、上面嵌合部３６ａ、３７ａと上面被嵌合部３６ｂ、３７ｂとの形成位置が合致し、容器３０Ａを水平方向に回転させて容器３０Ａの左右をいれかえても、上面嵌合部３６ａ、３７ａ及び上面被嵌合部３６ｂ、３７ｂはそれぞれ１８０°回転するだけでその位置自体は変化しない。
【００５６】
そして、２個の容器３０Ａ１、３０Ａ２を用意し、図１５及び図１６に示すように、各容器３０Ａ１、３０Ａ２の開口部側を開口部３１の矩形が合致するように対向させて積み重ねると、下段容器３０Ａ１の上面嵌合部３６ａ、３７ａと上段容器３０Ａ２の上面被嵌合部３６ｂ、３７ｂとが具合よく嵌合し、下段容器３０Ａ１の上面被嵌合部３６ｂ、３７ｂと上段容器２０Ａ２の上面嵌合部３６ａ、３７ａとが具合よく嵌合することになる。したがって、容器３０Ａ１、３０Ａ２の開口部側を対向させて積み重ねると、上面嵌合部３６ａ、３７ａ及び上面被嵌合部３６ｂ、３７ｂがそれぞれ嵌合するため、容器３０Ａ１、３０Ａ２が互いに水平方向へずれることが防止できるので、積み重ね状態が安定して維持できる。
【００５７】
なお、上面嵌合部３６ａ、３７ａと上面被嵌合部３６ｂ、３７ｂとを突出高さが同一の突起及び凸条にて形成しているので、容器３０Ａの開口部側を下にして平坦なところに置いた場合にガタツキが生じない。
【００５８】
以上のように容器３０Ａの開口部側周縁の上面部を構成したことによって、遊技媒体が満杯になった容器３０Ａを下にし、その上に空の容器３０Ａを逆さにして積み重ねると、前述したように上下の各容器３０Ａの積み重ね状態が強固に維持されると共に、遊技媒体が満杯になった容器３０Ａは、逆さまにした上段の容器３０Ａであたかも蓋されたような状態となるので、遊技媒体がこぼれ出ることがなく、遊技媒体の盗難防止の効果が果たされる。
【００５９】
また、該容器３０Ａの底面３４上には、底面嵌合部３８ａ、３９ａ及び底面被嵌合部３８ｂ、３９ｂが形成されている。底面嵌合部３８ａ、３９ａは、間隙を有する２個の突起より形成され、底面被嵌合部３８ｂ、３９ｂは前記の間隙に嵌合する１本の凸条より形成されており、互いに嵌合する形状になっている。なお、これらの突起及び凸条は、いずれも同一高さで形成されている。
【００６０】
底面嵌合部３８ａ、３９ａ及び底面被嵌合部３８ｂ、３９ｂの配置は、実施例１で述べた要領で決定され、下方に位置する容器３０Ａの底面３４と上方に位置する容器３０Ａの底面３４とを各底面３４の矩形が一致するように対向させたときに、底面嵌合部３８ａ、３９ａと底面被嵌合部３８ｂ、３９ｂとの形成位置が合致し、容器３０Ａを水平方向に回転させてその左右をいれかえても、底面嵌合部３８ａ、３９ａ及び底面被嵌合部３８ｂ、３９ｂはそれぞれ１８０°回転するだけでその位置自体は変化しない。
【００６１】
そして、２個の容器３０Ａ１、３０Ａ２を用意し、図１７及び図１８に示すように、各容器３０Ａ１、３０Ａ２の底面側を底面３４の矩形が合致するように対向させて積み重ねると、下段容器３０Ａ１の底面嵌合部３８ａ、３９ａと上段容器３０Ａ２の底面被嵌合部３８ｂ、３９ｂとが具合よく嵌合し、下段容器３０Ａ１の底面被嵌合部３８ｂ、３９ｂと上段容器３０Ａ２の底面嵌合部３８ａ、３９ａとが具合よく嵌合することになる。したがって、容器３０Ａ１、３０Ａ２の底面側を対向させて積み重ねると、底面嵌合部３８ａ、３９ａ及び底面被嵌合部３８ｂ、３９ｂがそれぞれ嵌合するため、容器３０Ａ１、３０Ａ２が互いに水平方向へずれることが防止できるので、積み重ね状態が安定して維持できる。
【００６２】
なお、底面嵌合部３８ａ、３９ａと底面被嵌合部３８ｂ、３９ｂとを突出高さが同一の突起及び凸条にて形成しているので、容器３０Ａの底面側を下にして平坦なところに置いた場合にガタツキが生じない。
【００６３】
以上のように容器３０Ａの開口部側周縁の上面部を構成したことによって、逆さまにした容器３０Ａの上に、遊技媒体が満杯になった容器３０Ａを積み重ねると、逆さまになっている下段の容器３０Ａの底面嵌合部３８ａ、３９ａと上段３０Ａの容器の底面被嵌合部３８ｂ、３９ｂとが嵌合すると共に、下段の容器３０Ａの底面被嵌合部３８ｂ、３９ｂと上段の容器３０Ａの底面嵌合部３８ａ、３９ａとが嵌合するので、積み重ね状態が強固に維持されることになる。
【００６４】
以上詳述した容器３０Ａを、図１９に示すように、１段目の容器３０Ａ１の上に２段目の容器３０Ａ２を開口部側同士を対向させて積み重ね、前記２段目の容器３０Ａ２の上に３段目の容器３０Ａ３を積み重ねる。そうすると、上面嵌合部３６ａ、３７ａ及び上面被嵌合部３６ｂ、３７ｂが嵌合することにより、１段目の容器３０Ａ１と２段目の容器３０Ａ２との積み重ね状態が安定して維持でき、底面嵌合部３８ａ、３９ａ及び底面被嵌合部３８ｂ、３９ｂが嵌合することにより、２段目の容器３０Ａ２と３段目の容器３０Ａ３との積み重ね状態が安定して維持できる。したがって、積み重ねた容器２０Ａ全体が安定して積み重ねることができるので、積み重ねた容器３０Ａが崩れるおそれがない。さらに、４段、５段と積み上げていくことが可能である。
【００６５】
その結果、満杯の容器だけを積み重ねた場合より２倍の積み重ね量となるため、現実の出玉獲得状況よりも、はるかに優勢であるように見せ掛けることができるので、他の遊技者から受けるプレッシャーが解放されて、快適に遊技を行うことができる効果がある。
【００６６】
なお、本実施例においては、安定性をより一層向上させるために、上面嵌合部３６ａ、３７ａ及び上面被嵌合部３６ｂ、３７ｂを矩形開口部３１の周縁鍔部３２の隅角部の位置に形成し、底面嵌合部３８ａ、３９ａ及び底面被嵌合部３８ｂ、３９ｂを矩形底面３４の隅角部の位置に形成しているが、これに限られるものではないことは実施例１で述べたとおりである。
【実施例４】
【００６７】
図２０は実施例４の容器であって、図中（ａ）は平面図、（ｂ）は該容器の正面図（正背は同一に表れる）、（ｃ）は該容器の左側面図（右側面図は、左側面図と上下及び左右対称に表れる）、（ｄ）は該容器の底面図であり、図２１は該容器を、その開口部側を対向させて積み重ねようとする状態を示す斜視図であり、図２２は開口部側同士を積み重ねた状態における嵌合構造を示す平面図であり、図２３は該容器を、その底面側を対向させて積み重ねようとする状態を示す斜視図であり、図２４は底面同士を積み重ねた状態における嵌合構造を示す底面図であり、図２５は該容器を、１段目及び２段目は開口部側同士を対向させ、２段目及び３段目は底面同士を対向させて３段に積み重ねた状態を示す正面図である。
【００６８】
図２０において４０Ａは容器を示す。なお、一つの図に２個以上の容器が表れる場合は、便宜上４０Ａ１、４０Ａ２、４０Ａ３のように枝番号を付すが、全て同一構成の容器である。
【００６９】
本実施例に係る容器４０Ａは、上方に開口する有底の容器であり、開口部４１は矩形であって、その周縁には鍔部４２が形成されている。そして、鍔部４２の左右側部には容器を把持するための長穴４３が形成されている。また、底面４４は、開口部４１の矩形よりやや小さい相似形の矩形であり、容器の周壁４５は上方に向かうにしたがって徐々に広がる傾斜壁にて構成されており、容器が空の場合には、一つの容器の開口部に対して他の容器の底面側をあてがうことにより段積みすることが可能になっている。
【００７０】
該容器４０Ａの開口部４１周縁の鍔部４２の上面上には、上面嵌合部４６ａ、４７ａ及び上面被嵌合部４６ｂ、４７ｂが形成されている。上面嵌合部４６ａ、４７ａは、穴を有する円筒より形成され、上面被嵌合部４６ｂ、４７ｂは前記の円筒の穴に嵌合する突起より形成されており、互いに嵌合する形状になっている。なお、これらの円筒及び突起は、いずれも同一高さで形成されている。
【００７１】
上面嵌合部４６ａ、４７ａ及び上面被嵌合部４６ｂ、４７ｂの配置は、実施例１で述べたのと同様の要領で決定され、下方に位置する容器４０Ａの開口部４１と上方に位置する容器４０Ａの開口部４１とを各開口部４１の矩形が一致するように対向させたときに、上面嵌合部４６ａ、４７ａと上面被嵌合部４６ｂ、４７ｂとの形成位置が合致し、容器４０Ａを水平方向に回転させて容器４０Ａの左右をいれかえても、上面嵌合部４６ａ、４７ａ及び上面被嵌合部４６ｂ、４７ｂはそれぞれ１８０°回転するだけでその位置自体は変化しない。
【００７２】
そして、２個の容器４０Ａ１、４０Ａ２を用意し、図２１及び図２２に示すように、各容器４０Ａ１、４０Ａ２の開口部側を開口部４１の矩形が合致するように対向させて積み重ねると、下段容器４０Ａ１の上面嵌合部４６ａ、４７ａと上段容器４０Ａ２の上面被嵌合部４６ｂ、４７ｂとが具合よく嵌合し、下段容器４０Ａ１の上面被嵌合部４６ｂ、４７ｂと上段容器４０Ａ２の上面嵌合部４６ａ、４７ａとが具合よく嵌合することになる。したがって、容器４０Ａ１、４０Ａ２の開口部側を対向させて積み重ねると、上面嵌合部４６ａ、４７ａ及び上面被嵌合部４６ｂ、４７ｂがそれぞれ嵌合するため、容器４０Ａ１、４０Ａ２が互いに水平方向へずれることが防止できるので、積み重ね状態が安定して維持できる。
【００７３】
なお、上面嵌合部４６ａ、４７ａと上面被嵌合部４６ｂ、４７ｂとを突出高さが同一の円筒及び突起にて形成しているので、容器４０Ａの開口部側を下にして平坦なところに置いた場合にガタツキが生じない。
【００７４】
以上のように容器４０Ａの開口部側周縁の上面部を構成したことによって、遊技媒体が満杯になった容器４０Ａを下にし、その上に空の容器４０Ａを逆さにして積み重ねると、前述したように上下の各容器４０Ａの積み重ね状態が強固に維持されると共に、遊技媒体が満杯になった容器４０Ａは、逆さまにした上段の容器４０Ａであたかも蓋されたような状態となるので、遊技媒体がこぼれ出ることがなく、遊技媒体の盗難防止の効果が果たされる。
【００７５】
また、該容器４０Ａの底面４４上には、底面嵌合部４８ａ、４９ａ及び底面被嵌合部４８ｂ、４９ｂが形成されている。底面嵌合部４８ａ、４９ａは、穴を有する円筒より形成され、底面被嵌合部４８ｂ、４９ｂは前記の穴に嵌合する突起より形成されており、互いに嵌合する形状になっている。なお、これらの円筒及び突起は、いずれも同一高さで形成されている。
【００７６】
底面嵌合部４８ａ、４９ａ及び底面被嵌合部４８ｂ、４９ｂの配置は、実施例１で述べた要領で決定され、下方に位置する容器４０Ａの底面４４と上方に位置する容器４０Ａの底面４４とを各底面４４の矩形が一致するように対向させたときに、底面嵌合部４８ａ、４９ａと底面被嵌合部４８ｂ、４９ｂとの形成位置が合致し、容器４０Ａを水平方向に回転させてその左右をいれかえても、底面嵌合部４８ａ、４９ａ及び底面被嵌合部４８ｂ、４９ｂはそれぞれ１８０°回転するだけでその位置自体は変化しない。
【００７７】
そして、２個の容器４０Ａ１、４０Ａ２を用意し、図２３及び図２４に示すように、各容器４０Ａ１、４０Ａ２の底面側を底面４４の矩形が合致するように対向させて積み重ねると、下段容器４０Ａ１の底面嵌合部４８ａ、４９ａと上段容器４０Ａ２の底面被嵌合部４８ｂ、４９ｂとが具合よく嵌合し、下段容器４０Ａ１の底面被嵌合部４８ｂ、４９ｂと上段容器４０Ａ２の底面嵌合部４８ａ、４９ａとが具合よく嵌合することになる。したがって、容器４０Ａ１、４０Ａ２の底面側を対向させて積み重ねると、底面嵌合部４８ａ、４９ａ及び底面被嵌合部４８ｂ、４９ｂがそれぞれ嵌合するため、容器４０Ａ１、４０Ａ２が互いに水平方向へずれることが防止できるので、積み重ね状態が安定して維持できる。
【００７８】
なお、底面嵌合部４８ａ、４９ａと底面被嵌合部４８ｂ、４９ｂとを突出高さが同一の円筒及び突起にて形成しているので、容器４０Ａの底面側を下にして平坦なところに置いた場合にガタツキが生じない。
【００７９】
以上のように容器４０Ａの開口部側周縁の上面部を構成したことによって、逆さまにした容器４０Ａの上に、遊技媒体が満杯になった容器４０Ａを積み重ねると、逆さまになっている下段の容器３０Ａの底面嵌合部４８ａ、４９ａと上段４０Ａの容器の底面被嵌合部４８ｂ、４９ｂとが嵌合すると共に、下段の容器４０Ａの底面被嵌合部４８ｂ、４９ｂと上段の容器４０Ａの底面嵌合部４８ａ、４９ａとが嵌合するので、積み重ね状態が強固に維持されることになる。
【００８０】
以上詳述した容器４０Ａを、図２５に示すように、１段目の容器４０Ａ１の上に２段目の容器４０Ａ２を開口部側同士を対向させて積み重ね、前記２段目の容器４０Ａ２の上に３段目の容器４０Ａ３を積み重ねる。そうすると、上面嵌合部４６ａ、４７ａ及び上面被嵌合部４６ｂ、４７ｂが嵌合することにより、１段目の容器４０Ａ１と２段目の容器４０Ａ２との積み重ね状態が安定して維持でき、底面嵌合部４８ａ、４９ａ及び底面被嵌合部４８ｂ、４９ｂが嵌合することにより、２段目の容器４０Ａ２と３段目の容器４０Ａ３との積み重ね状態が安定して維持できる。したがって、積み重ねた容器４０Ａ全体が安定して積み重ねることができるので、積み重ねた容器４０Ａが崩れるおそれがない。さらに、４段、５段と積み上げていくことが可能である。
【００８１】
その結果、満杯の容器だけを積み重ねた場合より２倍の積み重ね量となるため、現実の出玉獲得状況よりも、はるかに優勢であるように見せ掛けることができるので、他の遊技者から受けるプレッシャーが解放されて、快適に遊技を行うことができる効果がある。
【００８２】
なお、本実施例においては、安定性をより一層向上させるために、上面嵌合部４６ａ、４７ａ及び上面被嵌合部４６ｂ、４７ｂを矩形開口部４１の周縁鍔部４２の隅角部の位置に形成し、底面嵌合部４８ａ、４９ａ及び底面被嵌合部４８ｂ、４９ｂを矩形底面４４の隅角部の位置に形成しているが、これに限られるものではないことは実施例１で述べたとおりである。
【図面の簡単な説明】
【００８３】
【図１】本発明の実施例１の容器であって、図中（ａ）は平面図、（ｂ）は正面図、（ｃ）は左側面図、（ｄ）は底面図である。
【図２】該容器を、その開口部側を対向させて積み重ねようとする状態を示す斜視図である。
【図３】該容器を、その開口部側を対向させて積み重ねた状態を示す斜視図である。
【図４】該容器の開口部側同士を積み重ねた状態における嵌合構造を示す平面図である。
【図５】該容器を、その底面側を対向させて積み重ねようとする状態を示す斜視図である。
【図６】該容器の底面同士を積み重ねた状態における嵌合構造を示す底面図である。
【図７】該容器を、１段目及び２段目は開口部側同士を対向させ、２段目及び３段目は底面同士を対向させて３段に積み重ねた状態を示す正面図である。
【図８】本発明の実施例２の容器であって、図中（ａ）は平面図、（ｂ）は正面図、（ｃ）は左側面図、（ｄ）は底面図である。
【図９】該容器を、その開口部側を対向させて積み重ねようとする状態を示す斜視図である。
【図１０】該容器の開口部側同士を積み重ねた状態における嵌合構造を示す平面図である。
【図１１】該容器を、その底面側を対向させて積み重ねようとする状態を示す斜視図である。
【図１２】該容器の底面同士を積み重ねた状態における嵌合構造を示す底面図である。
【図１３】該容器を、１段目及び２段目は開口部側同士を対向させ、２段目及び３段目は底面同士を対向させて３段に積み重ねた状態を示す正面図である。
【図１４】本発明の実施例３の容器であって、図中（ａ）は平面図、（ｂ）は正面図、（ｃ）は左側面図、（ｄ）は底面図である。
【図１５】該容器を、その開口部側を対向させて積み重ねようとする状態を示す斜視図である。
【図１６】該容器の開口部側同士を積み重ねた状態における嵌合構造を示す平面図である。
【図１７】該容器を、その底面側を対向させて積み重ねようとする状態を示す斜視図である。
【図１８】該容器の底面同士を積み重ねた状態における嵌合構造を示す底面図である。
【図１９】該容器を、１段目及び２段目は開口部側同士を対向させ、２段目及び３段目は底面同士を対向させて３段に積み重ねた状態を示す正面図である。
【図２０】本発明の実施例３の容器であって、図中（ａ）は平面図、（ｂ）は正面図、（ｃ）は左側面図、（ｄ）は底面図である。
【図２１】該容器を、その開口部側を対向させて積み重ねようとする状態を示す斜視図である。
【図２２】該容器の開口部側同士を積み重ねた状態における嵌合構造を示す平面図である。
【図２３】該容器を、その底面側を対向させて積み重ねようとする状態を示す斜視図である。
【図２４】該容器の底面同士を積み重ねた状態における嵌合構造を示す底面図である。
【図２５】該容器を、１段目及び２段目は開口部側同士を対向させ、２段目及び３段目は底面同士を対向させて３段に積み重ねた状態を示す正面図である。
【符号の説明】
【００８４】
１０Ａ（１０Ａ１、１０Ａ２、１０Ａ３）・・・容器
１１・・・容器の開口部
１２・・・開口部周縁の鍔部
１３・・・把持用長穴
１４・・・底面
１５・・・容器の周壁
１６ａ、１７ａ・・・上面嵌合部
１６ｂ、１７ｂ・・・上面被嵌合部
Ｐ１・・・矩形開口部の中心位置
Ｐ１・・・矩形開口部の横の中心線
Ｌ１、Ｌ２・・・線対称の２本１組の直線（仮想矩形Ｓ１の対角線）
Ｓ１・・・仮想矩形
ｇ１、ｇ２、ｇ３、ｇ４・・・開口部周縁の鍔部における仮想矩形の隅角部
１８ａ、１９ａ・・・底面嵌合部
１８ｂ、１９ｂ・・・底面被嵌合部
Ｐ２・・・矩形底面の中心位置
Ｐ２・・・矩形底面の横の中心線
Ｌ３、Ｌ４・・・線対称の２本１組の直線（仮想矩形Ｓ２の対角線）
Ｓ２・・・仮想矩形
ｇ５、ｇ６、ｇ７、ｇ８・・・底面における仮想矩形の隅角部
２０Ａ（２０Ａ１、２０Ａ２、２０Ａ３）・・・容器
２１・・・容器の開口部
２２・・・開口部周縁の鍔部
２３・・・把持用長穴
２４・・・底面
２５・・・容器の周壁
２６ａ、２７ａ・・・上面嵌合部
２６ｂ、２７ｂ・・・上面被嵌合部
２８ａ、２９ａ・・・底面嵌合部
２８ｂ、２９ｂ・・・底面被嵌合部
３０Ａ（３０Ａ１、３０Ａ２、３０Ａ３）・・・容器
３１・・・容器の開口部
３２・・・開口部周縁の鍔部
３３・・・把持用長穴
３４・・・底面
３５・・・容器の周壁
３６ａ、３７ａ・・・上面嵌合部
３６ｂ、３７ｂ・・・上面被嵌合部
３８ａ、３９ａ・・・底面嵌合部
３８ｂ、３９ｂ・・・底面被嵌合部
４０Ａ（４０Ａ１、４０Ａ２、４０Ａ３）・・・容器
４１・・・容器の開口部
４２・・・開口部周縁の鍔部
４３・・・把持用長穴
４４・・・底面
４５・・・容器の周壁
４６ａ、４７ａ・・・上面嵌合部
４６ｂ、４７ｂ・・・上面被嵌合部
４８ａ、４９ａ・・・底面嵌合部
４８ｂ、４９ｂ・・・底面被嵌合部
【図１】
2007054137.tif 000003
【図２】
2007054137.tif 000004
【図３】
2007054137.tif 000005
【図４】
2007054137.tif 000006
【図５】
2007054137.tif 000007
【図６】
2007054137.tif 000008
【図７】
2007054137.tif 000009
【図８】
2007054137.tif 000010
【図９】
2007054137.tif 000011
【図１０】
2007054137.tif 000012
【図１１】
2007054137.tif 000013
【図１２】
2007054137.tif 000014
【図１３】
2007054137.tif 000015
【図１４】
2007054137.tif 000016
【図１５】
2007054137.tif 000017
【図１６】
2007054137.tif 000018
【図１７】
2007054137.tif 000019
【図１８】
2007054137.tif 000020
【図１９】
2007054137.tif 000021
【図２０】
2007054137.tif 000022
【図２１】
2007054137.tif 000023
【図２２】
2007054137.tif 000024
【図２３】
2007054137.tif 000025
【図２４】
2007054137.tif 000026
【図２５】
2007054137.tif 000027